(57)【要約】【課題】装置によって無駄な電力が消費されることを防止すること。【解決手段】監視装置１００は、生産システム１０に供給される電力値を検出するセンサ２０から電力値を受信する。監視装置１００は、生産システム１０によって生産される生産物の生産量を検出するセンサ３０から生産量の情報を受信する。監視装置１００は、電力値と生産量の情報とを基にして、電力値が第１閾値より大きく、かつ、生産量が第２閾値以下であるか否かを判定する。監視装置１００は、電力値が第１閾値よりも大きく、かつ、生産量が前記第２閾値以下である場合に、アラームを出力する。【選択図】図１
2015079312.tif 000002
【特許請求の範囲】
【請求項１】
コンピュータに、
生産システムに供給される電力値を検出する第１センサからネットワークを介して出力される電力値と、前記生産システムによって生産される生産物の生産量を検出する第２センサからネットワークを介して出力される生産量の情報とを基にして、前記電力値が第１閾値より大きく、かつ、前記生産量が第２閾値以下であるか否かを判定し、
前記電力値が前記第１閾値よりも大きく、かつ、前記生産量が前記第２閾値以下である場合に、信号を出力する
処理を実行させることを特徴とする監視プログラム。
【請求項２】
前記判定する処理は、所定時間毎に前記第２センサから生産量の情報を取得する度に、前記電力量が前記第１閾値より大きく、かつ、前記生産量が前記第２閾値以下であるか否かを判定し、前記出力する処理は、所定期間連続して、前記電力量が前記第１閾値より大きく、かつ、前記生産量が前記第２閾値以下となる場合に、信号を出力することを特徴とする請求項１に記載の監視プログラム。
【請求項３】
前記出力する処理は、前記電力値が０より大きく、かつ、前記生産量が０である場合に、信号を出力することを特徴とする請求項１または２に記載の監視プログラム。
【請求項４】
コンピュータが実行する監視方法であって、
生産システムに供給される電力値を検出する第１センサからネットワークを介して出力される電力値と、前記生産システムによって生産される生産物の生産量を検出する第２センサからネットワークを介して出力される生産量の情報とを基にして、前記電力値が第１閾値より大きく、かつ、前記生産量が第２閾値以下であるか否かを判定し、
前記電力値が前記第１閾値よりも大きく、かつ、前記生産量が前記第２閾値以下である場合に、信号を出力する
処理を実行することを特徴とする監視方法。
【請求項５】
生産システムに供給される電力値を検出する第１センサからネットワークを介して出力される電力値と、前記生産システムによって生産される生産物の生産量を検出する第２センサからネットワークを介して出力される生産量の情報とを基にして、前記電力値が第１閾値より大きく、かつ、前記生産量が第２閾値以下であるか否かを判定する判定部と、
前記電力値が前記第１閾値よりも大きく、かつ、前記生産量が前記第２閾値以下である場合に、信号を出力する出力部と
を有することを特徴とする監視装置。
【発明の詳細な説明】
【技術分野】
【０００１】
本発明は、監視プログラム等に関する。
【背景技術】
【０００２】
生産現場では、生産コストを削減するために、生産設備の無駄な消費電力を防ぐことが求められる。例えば、現場の作業員は、生産設備が部品などを生産していない状況下で運転を継続している場合に、生産設備の運転を小まめに停止する対応を行う。
【０００３】
また、従来技術には、装置の消費電力が下限閾値以下となる状態が監視時限以上続いた場合に、アラームを出力し、装置の電源を遮断することで、省エネルギーを達成する技術が開示されている。例えば、下限閾値は、装置稼働時の消費電力値と、非稼働時の待機電力値との間に設定される。
【先行技術文献】
【特許文献】
【０００４】
【特許文献１】特開２０１２−１５２００４号公報
【発明の概要】
【発明が解決しようとする課題】
【０００５】
しかしながら、上述した従来技術では、装置によって無駄な電力が消費されるという問題がある。
【０００６】
例えば、作業員が生産設備の運転を小まめに停止する場合には、作業員の自主性に任せるほかなく、作業員が装置を停止し忘れる恐れや、発見までに時間を要する場合がある。また、従来技術では、生産設備が何も生産していないにも関わらず運転を継続しているような特定の状況下において、アラームを出力するものではない。
【０００７】
１つの側面では、装置によって無駄な電力が消費されることを防止できる監視プログラム、監視方法、監視装置を提供することを目的とする。
【課題を解決するための手段】
【０００８】
第１の案では、コンピュータに下記の処理を実行させる。コンピュータは、第１センサからネットワークを介して出力される電力値が第１閾値より大きく、かつ、生産量が第２閾値以下であるか否かを判定する。コンピュータは、電力値が前記第１閾値よりも大きく、かつ、前記生産量が前記第２閾値以下である場合に、信号を出力する。
【発明の効果】
【０００９】
本発明の１実施態様によれば、装置によって無駄な電力が消費されることを防止できる。
【図面の簡単な説明】
【００１０】
【図１】図１は、本実施例に係るシステムの構成を示す図である。
【図２】図２は、本実施例に係る監視装置の構成を示す機能ブロック図である。
【図３】図３は、本実施例に係る対応関係のデータ構造の一例を示す図である。
【図４】図４は、本実施例に係る電力値情報の一例を示す図である。
【図５】図５は、本実施例に係る生産量情報の一例を示す図である。
【図６】図６は、本実施例に係る監視装置の処理を説明するための図（１）である。
【図７】図７は、本実施例に係る監視装置の処理を説明するための図（２）である。
【図８】図８は、本実施例に係る監視装置の処理手順を示すフローチャートである。
【図９】図９は、監視プログラムを実行するコンピュータの一例を示す図である。
【発明を実施するための形態】
【００１１】
以下に、本願の開示する監視プログラム、監視方法および監視装置の実施例を図面に基づいて詳細に説明する。なお、この実施例によりこの発明が限定されるものではない。
【実施例】
【００１２】
本実施例に係るシステムの構成例について説明する。図１は、本実施例に係るシステムの構成を示す図である。図１に示すように、このシステムは、所定の生産物を生産する生産システム１０ａ，１０ｂ，１０ｃを有する。例えば、生産システム１０ａは、生産設備１５ａと、センサ２０ａと、センサ３０ａとを含む。生産システム１０ｂは、生産設備１５ｂと、センサ２０ｂと、センサ３０ｂとを含む。生産システム１０ｃは、生産設備１５ｃと、センサ２０ｃと、センサ３０ｃとを含む。
【００１３】
センサ２０ａ，２０ｂ，２０ｃは、ネットワーク５０を介して、監視装置１００に接続される。センサ３０ａ，３０ｂ，３０ｃは、ネットワーク５０を介して、監視装置１００に接続される。
【００１４】
図１では、生産システム１０ａ〜１０ｃを示すが、その他の生産システムを含んでも良い。以下の説明では、生産システム１０ａ，１０ｂ，１０ｃをまとめて、適宜、生産システム１０と表記する。生産設備１５ａ，１５ｂ，１５ｃをまとめて、適宜、生産設備１５と表記する。センサ２０ａ，２０ｂ，２０ｃをまとめて、適宜、センサ２０と表記する。センサ３０ａ，３０ｂ，３０ｃをまとめて、適宜、センサ３０と表記する。
【００１５】
生産設備１５は、電力の供給を受けて、生産物を生産する設備である。例えば、生産設備１５は、生産物を生成するための材料を供給されると、係る材料に対して加工を行い、部品等の生産物を生産する。生産設備１５は、材料が供給されていない場合でも、電力が供給されている間は、動作を継続する。
【００１６】
センサ２０は、生産設備１５に供給されている電力値を検出するセンサである。センサ２０は、検出した電力値の情報を、監視装置１００に送信する。センサ２０は、電力値の情報を監視装置１００に送信する場合に、センサの識別情報を合わせて通知する。
【００１７】
センサ３０は、生産設備１５に含まれ、生産設備１５によって生産される生産物の生産量を計数する装置である。センサ３０は、計数した生産量の情報を、監視装置１００に送信する。センサ３０は、生産量の情報を監視装置１００に送信する場合に、生産システムの識別情報を合わせて通知する。
【００１８】
センサ３０は、如何なる従来技術を用いて、部品の生産量を計数しても良い。例えば、センサ３０は、生産設備１５に搭載される電子機器がコンベア上を流れてくる材料を検知して、この材料に対して所定の加工を一度行い、この加工を行った回数を、生産量として計数する。
【００１９】
監視装置１００は、センサ２０から出力される電力値の情報と、センサ３０から出力される生産量の情報とを基にして、電力量が第１閾値よりも大きく、かつ、生産量が第２閾値以下である場合に、アラームを出力する装置である。
【００２０】
図１に示した監視装置１００の構成例について説明する。図２は、本実施例に係る監視装置の構成を示す機能ブロック図である。図２に示すように、この監視装置１００は、通信部１１０、入力部１２０、表示部１３０、記憶部１４０、制御部１５０を有する。
【００２１】
通信部１１０は、ネットワーク５０を介して、センサ２０から電力値の情報を受信し、センサ３０から生産量の情報を受信する。電力値の情報には、センサの識別情報が対応付けられる。生産量の情報には、生産システムの識別情報が対応付けられる。通信部１１０は、電力値の情報および生産量の情報を、制御部１５０に出力する。
【００２２】
記憶部１４０は、対応情報１４１、電力値情報１４２、生産量情報１４３を有する。記憶部１４０は、例えば、ＲＡＭ（Random  Access  Memory）、ＲＯＭ（Read  Only  Memory）、フラッシュメモリ（Flash  Memory）などの半導体メモリ素子などの記憶装置に対応する。
【００２３】
対応情報１４０は、センサ２０とセンサ３０と生産システム１０との対応関係を示す情報である。図３は、本実施例に係る対応関係のデータ構造の一例を示す図である。図３に示すように、対応情報１４１は、第１センサ識別番号と、第２センサ識別情報と、生産システム識別情報とを対応付ける。第１センサ識別番号は、電力値を検出するセンサ２０を一意に識別する情報である。第２センサ識別情報は、生産量を検出するセンサ３０を一意に識別する情報である。生産システム識別番号は、生産ラインを一意に識別する情報である。
【００２４】
電力値情報１４２は、センサ２０が検出した各時刻の電力値の情報である。図４は、本実施例に係る電力値情報の一例を示す図である。図４において、横軸は時間を示し、縦軸は電力値を示す。ここでは、単一のセンサ２０に対する電力値の情報のみを示すが、センサ２０ａ，２０ｂ，２０ｃ毎に、電力値情報が存在するものとする。
【００２５】
生産量情報１４３は、センサ３０が検出した各時刻の生産量の情報である。図５は、本実施例に係る生産量情報の一例を示す図である。図５において、横軸は時間を示し、縦軸は生産量を示す。ここでは、単一のセンサ３０に対する電力値の情報のみを示すが、センサ３０ａ，３０ｂ，３０ｃ毎に、各生産システムの生産量の情報が存在するものとする。
【００２６】
図２の説明に戻る。制御部１５０は、判定部１５１と出力部１５２とを有する。制御部１５０は、例えば、ＡＳＩＣ（Application  Specific  Integrated  Circuit）や、ＦＰＧＡ（Field  Programmable  Gate  Array）などの集積装置に対応する。また、制御部１５０は、例えば、ＣＰＵ（Central  Processing  Unit）やＭＰＵ（Micro  Processing  Unit）等の電子回路に対応する。
【００２７】
判定部１５１は、センサ２０から受信する電力値の情報と、該センサ２０に対応するセンサ３０から受信する生産量の情報とを基にして、電力値が第１閾値より大きく、かつ、生産量が第２閾値以下であるか否かを判定する処理部である。判定部１５１は、判定結果を出力部１５２に出力する。
【００２８】
センサ２０の電力値が第１閾値より大きく、センサ３０の生産量が第２閾値以下である場合には、生産システム１０が、生産物を生産していないにもかかわらず、稼働を続けていることを意味し、電力のムダである。
【００２９】
例えば、判定部１５１は、センサ２０ａの電力値が第１閾値「０」より大きく、センサ２０ａに対応するセンサ３０ａの生産量が第２閾値「０」以下である場合に、センサ２０ａ，３０ａに対応する生産システム識別番号１０ａを、出力部１５２に出力する。判定部１５１は、対応情報１４１を基にして、センサ２０に対応するセンサ３０および、センサ２０，３０に対応する生産システム識別情報を特定する。
【００３０】
判定部１５１は、各センサ２０から取得した電力値の情報を、電力値情報１４２に登録する。また、判定部１５１は、各センサ３０から取得した生産量の情報を、生産量情報１４３に登録する。
【００３１】
出力部１５２は、センサ２０の電力値が第１閾値より大きく、センサ３０の生産量が第２閾値以下である場合に、アラームを出力する処理部である。例えば、センサ２０の電力値が第１閾値より大きく、センサ３０の生産量が第２閾値以下である場合には、出力部１５２は、判定部１５１から、生産システム識別情報を取得する。出力部１５２は、生産システム識別情報と対応付けて、アラームを表示部１３０に出力する。
【００３２】
例えば、管理者は、表示部１３０を参照することで、電力のムダが発生している生産システムを特定可能となる。
【００３３】
図６および図７は、本実施例に係る監視装置の処理を説明するための図である。図６および図７において、横軸は時間を示し、左側の縦軸は生産量を示し、右側の縦軸は電力値を示す。また、線分１ａ、１ｂは、各時刻の電力値を示し、各棒グラフは、生産量を示す。
【００３４】
図６について説明する。例えば、時刻Ｔ１およびＴ２において、センサ２０の電力値が第１閾値より大きく、センサ３０の生産量が第２閾値以下となる。このため、時刻Ｔ１および時刻Ｔ２で、電力のムダが発生しており、監視装置１００は、時刻Ｔ１および時刻Ｔ２において、アラームを出力する。
【００３５】
図７について説明する。図７に示す例では、いずれの時刻においても、センサ２０の電力値が第１閾値より大きく、センサ３０の生産量が第２閾値以下とならない。例えば、時刻Ｔ１および時刻Ｔ２では、センサ３０の生産量が閾値以下となるが、センサ２０の電力値も第１閾値以下となっており、電力のムダが発生していない。
【００３６】
本実施例に係る監視装置１００の処理手順について説明する。図８は、本実施例に係る監視装置の処理手順を示すフローチャートである。図８に示すように、監視装置１００は、各センサ２０から電力値の情報の受信を開始する（ステップＳ１０１）。
【００３７】
監視装置１００は、各センサ３０から生産量の情報を取得する（ステップＳ１０２）。監視装置１００は、電力値が第１閾値よりも大きく、かつ、生産量が第２閾値以下であるか否かを判定する（ステップＳ１０３）。
【００３８】
監視装置１００は、電力値が第１閾値以下、または、生産量が第２閾値よりも大きい場合には（ステップＳ１０３，Ｎｏ）、ステップＳ１０２に移行する。
【００３９】
一方、監視装置１００は、電力値が第１閾値よりも大きく、かつ、生産量が第２閾値以下である場合には（ステップＳ１０３，Ｙｅｓ）、アラームを出力する（ステップＳ１０４）。
【００４０】
次に、本実施例に係る監視装置１００の効果について説明する。監視装置１００は、センサ２０によって検出される電力値が第１閾値より大きく、センサ３０によって検出される生産量が第２閾値以下である場合に、アラームを出力する。このため、監視装置１００によれば、装置によって無駄な電力が消費されることを防止できる。
【００４１】
例えば、監視装置１００は、センサ２０の電力値が第１閾値「０」より大きく、センサ３０の生産量が第２閾値「０」以下である場合に、アラームを出力する。このため、生産物を生産していないにも関わらず、稼働している生産システムを検出することができる。
【００４２】
また、監視装置１００によれば、現場管理者は、事務所等に居ながらにして生産活動状況をリアルタイムに把握できる。また、現場に対する小まめな設備停止指示に対する遂行状況を、事務所等に居ながらにして、確認作業する事ができるようになり、原価管理の作業負担を軽減できる。また、作業員の自主性に任せた不確実な電力のムダ防止から、現場作業員への意識付け向上による最大限のムダ防止が可能となる。
【００４３】
ところで、上述した判定部１５１の処理は一例である。判定部１５１のその他の処理について説明する。例えば、判定部１５１は、所定時間毎に、センサ３０から生産量の情報を取得する度に、センサ２０の電力値が第１閾値より大きく、センサ３０の生産量が第２閾値以下であるかを判定する。そして、判定部１５１は、ｎ回連続して、センサ２０の電力値が第１閾値より大きく、センサ３０の生産量が第２閾値以下である場合に、センサ２０，３０に対応する生産システム識別番号１０を、出力部１５２に出力する。ここで、ｎは１より大きい自然数である。これによって、例えば、一時的に生産システム１０の生産物の生産が滞っており、電力のムダが発生していない状況下で、誤ってアラームが出力されてしまうことを防止することができる。
【００４４】
また、判定部１５１は、生産システム１０毎に異なる「ｎ」を設定しても良い。例えば、判定部は、生産システム１０ａについて、「ｎ＋α」回連続して、センサ２０ａの電力値が第１閾値より大きく、センサ３０ａの生産量が第２閾値以下である場合に、センサ２０ａ，３０ａに対応する生産システム識別番号１０ａを、出力部１５２に出力する。
【００４５】
判定部１５１は、生産システム１０ｂについて、「ｎ＋β」回連続して、センサ２０ｂの電力値が第１閾値より大きく、センサ３０ｂの生産量が第２閾値以下である場合に、センサ２０ｂ，３０ｂに対応する生産システム識別番号１０ｂを、出力部１５２に出力する。
【００４６】
判定部１５１は、生産システム１０ｃについて、「ｎ＋γ」回連続して、センサ２０ｃの電力値が第１閾値より大きく、センサ３０ｃの生産量が第２閾値以下である場合に、センサ２０ｃ，３０ｃに対応する生産システム識別番号１０ｃを、出力部１５２に出力する。
【００４７】
なお、時間当たりの生産物の生産数に応じて、α、β、γの値を適宜変更しても良い。例えば、単位時間当たりの生産物の生産数の大小関係が、生産システム１０ａ＜生産システム１０ｂ＜生産システム１０ｃの場合には、α、β、γの値の関係をα＜β＜γの値としても良い。
【００４８】
次に、上記の実施例に示した監視装置と同様の機能を実現する監視プログラムを実行するコンピュータの一例を説明する。図９は、監視プログラムを実行するコンピュータの一例を示す図である。
【００４９】
図９に示すように、コンピュータ２００は、各種演算処理を実行するＣＰＵ２０１と、ユーザからのデータの入力を受け付ける入力装置２０２と、ディスプレイ２０３を有する。また、コンピュータ２００は、記憶媒体からプログラム等を読取る読み取り装置２０４と、ネットワークを介して他のコンピュータとの間でデータの授受を行うインターフェース装置２０５とを有する。また、コンピュータ２００は、各種情報を一時記憶するＲＡＭ２０６と、ハードディスク装置２０７を有する。そして、各装置２０１〜２０７は、バス２０８に接続される。
【００５０】
ハードディスク装置２０７は、判定プログラム２０７ａ、出力プログラム２０７ｂを有する。ＣＰＵ２０１は、各プログラム２０７ａ，２０７ｂを読み出してＲＡＭ２０６に展開する。
【００５１】
判定プログラム２０７ａは、検出プロセス２０６ａとして機能する。出力プログラム２０７ｂは、出力プロセス２０６ｂとして機能する。
【００５２】
例えば、判定プロセス２０６ａは、判定部１５１に対応する。出力プロセス２０６ｂは、出力部１５２に対応する。
【００５３】
ところで、本実施例に係るセンサ２０は、電子機器の電力の電力値を、監視装置１００に通知する場合について説明したが、これに限定されるものではない。例えば、センサ２０は、漏電しているか否かを判定し、判定結果を監視装置１００に通知指定も良い。漏電を検出した旨の情報を受信した監視装置１００は、漏電を検出したセンサ２０に対応付けられたカメラの画像を、画面に表示させる。
【００５４】
なお、各プログラム２０７ａ，２０７ｂについては、必ずしも最初からハードディスク装置２０７に記憶させておかなくてもよい。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００がこれらから各プログラム２０７ａ，２０７ｂを読み出して実行するようにしてもよい。
【００５５】
以上の各実施例を含む実施形態に関し、さらに以下の付記を開示する。
【００５６】
（付記１）コンピュータに、
生産システムに供給される電力値を検出する第１センサからネットワークを介して出力される電力値と、前記生産システムによって生産される生産物の生産量を検出する第２センサからネットワークを介して出力される生産量の情報とを基にして、前記電力値が第１閾値より大きく、かつ、前記生産量が第２閾値以下であるか否かを判定し、
前記電力値が前記第１閾値よりも大きく、かつ、前記生産量が前記第２閾値以下である場合に、信号を出力する
処理を実行させることを特徴とする監視プログラム。
【００５７】
（付記２）前記判定する処理は、所定時間毎に前記第２センサから生産量の情報を取得する度に、前記電力量が前記第１閾値より大きく、かつ、前記生産量が前記第２閾値以下であるか否かを判定し、前記出力する処理は、所定期間連続して、前記電力量が前記第１閾値より大きく、かつ、前記生産量が前記第２閾値以下となる場合に、信号を出力することを特徴とする付記１に記載の監視プログラム。
【００５８】
（付記３）前記出力する処理は、前記電力値が０より大きく、かつ、前記生産量が０である場合に、信号を出力することを特徴とする付記１または２に記載の監視プログラム。
【００５９】
（付記４）コンピュータが実行する監視方法であって、
生産システムに供給される電力値を検出する第１センサからネットワークを介して出力される電力値と、前記生産システムによって生産される生産物の生産量を検出する第２センサからネットワークを介して出力される生産量の情報とを基にして、前記電力値が第１閾値より大きく、かつ、前記生産量が第２閾値以下であるか否かを判定し、
前記電力値が前記第１閾値よりも大きく、かつ、前記生産量が前記第２閾値以下である場合に、信号を出力する
処理を実行することを特徴とする監視方法。
【００６０】
（付記５）前記判定する処理は、所定時間毎に前記第２センサから生産量の情報を取得する度に、前記電力量が前記第１閾値より大きく、かつ、前記生産量が前記第２閾値以下であるか否かを判定し、前記出力する処理は、所定期間連続して、前記電力量が前記第１閾値より大きく、かつ、前記生産量が前記第２閾値以下となる場合に、信号を出力することを特徴とする付記４に記載の監視方法。
【００６１】
（付記６）前記出力する処理は、前記電力値が０より大きく、かつ、前記生産量が０である場合に、信号を出力することを特徴とする付記４または５に記載の監視方法。
【００６２】
（付記７）生産システムに供給される電力値を検出する第１センサからネットワークを介して出力される電力値と、前記生産システムによって生産される生産物の生産量を検出する第２センサからネットワークを介して出力される生産量の情報とを基にして、前記電力値が第１閾値より大きく、かつ、前記生産量が第２閾値以下であるか否かを判定する判定部と、
前記電力値が前記第１閾値よりも大きく、かつ、前記生産量が前記第２閾値以下である場合に、信号を出力する出力部と
を有することを特徴とする監視装置。
【００６３】
（付記８）前記判定部は、所定時間毎に前記第２センサから生産量の情報を取得する度に、前記電力量が前記第１閾値より大きく、かつ、前記生産量が前記第２閾値以下であるか否かを判定し、前記出力部は、所定期間連続して、前記電力量が前記第１閾値より大きく、かつ、前記生産量が前記第２閾値以下となる場合に、信号を出力することを特徴とする付記７に記載の監視装置。
【００６４】
（付記９）前記出力部は、前記電力値が０より大きく、かつ、前記生産量が０である場合に、信号を出力することを特徴とする付記７または８に記載の監視装置。
【符号の説明】
【００６５】
１０ａ、１０ｂ、１０ｃ  生産システム
２０ａ、２０ｂ、２０ｃ、３０ａ、３０ｂ、３０ｃ  センサ
５０  ネットワーク
１００  監視装置
【図１】
2015079312.tif 000003
【図２】
2015079312.tif 000004
【図３】
2015079312.tif 000005
【図４】
2015079312.tif 000006
【図５】
2015079312.tif 000007
【図６】
2015079312.tif 000008
【図７】
2015079312.tif 000009
【図８】
2015079312.tif 000010
【図９】
2015079312.tif 000011